(57)【特許請求の範囲】
【請求項１】
時間の経過に応じた溶存酸素量の変化が測定される液体を貯留する貯留槽であって、
内部に液体及び液体の沈殿物を貯留可能に設けられた容器と、
前記容器内に液体を流入可能に設けられた流入口と、
前記容器内の空気を流出可能に設けられた空気抜き口と、
前記容器内の液体を外部に採取可能に設けられた採取口とを備え、
前記流入口、前記空気抜き口及び前記採取口は開閉可能に設けられ、
前記流入口、前記空気抜き口及び前記採取口が閉じている場合、前記容器は密閉される
貯留槽。
【請求項２】
前記容器内の液体を撹拌する撹拌部を備える
請求項１に記載の貯留槽。
【請求項３】
前記流入口、前記空気抜き口、前記採取口及び前記撹拌部は、前記容器の上部に着脱可能に設けられて前記容器の上部を覆う蓋部に設けられる
請求項２に記載の貯留槽。
【請求項４】
請求項１から３のいずれか一項に記載の貯留槽と、
前記流入口から前記容器内に流入される液体を備蓄する備蓄部と、
前記採取口を介して前記容器内の液体を採取する採取部と、
前記採取部により採取された液体の溶存酸素量を測定する測定部と
を備える溶存酸素量測定システム。
【請求項５】
前記貯留槽を内部に設置可能に設けられた水槽を備える
請求項４に記載の溶存酸素量測定システム。
【請求項６】
前記水槽の上部を開閉可能な屋根を備える
請求項５に記載の溶存酸素量測定システム。
【発明の詳細な説明】
【技術分野】
【０００１】
本発明は、貯留槽及び溶存酸素量測定システムに関する。
【背景技術】
【０００２】
水質に係る環境対策の一環として、水の流れがない又は流れがあっても微弱である水底のように、酸素の介在を伴わない嫌気的環境下における溶存酸素量を把握したいという需要がある。このような嫌気的環境を考慮した構成として、嫌気的環境下での連続的なモニタリングを行う装置が知られている（例えば、特許文献１）。
【０００３】
図６は、嫌気的環境を構築する従来の貯留槽を示す図である。水底の嫌気的環境と同様の嫌気的環境を構築する方法として、図６に示すように、水Ｗ及び水底の沈殿物Ｓを容器１１１内に入れ、蓋１１２を閉めることで密閉可能な貯留槽１１０を用いる方法がある。
【先行技術文献】
【特許文献】
【０００４】
【特許文献１】特開平６−１３４４９４号公報
【発明の概要】
【発明が解決しようとする課題】
【０００５】
溶存酸素量を測定する場合、嫌気的環境下に存していた水を採取する必要がある。しかしながら、図６に示すような従来の貯留槽では、水の採取に伴い蓋１１２を外す必要があった。このため、水の採取時に水が空気に曝露し、嫌気的環境下での溶存酸素量の測定に適さない条件に晒されることになるという問題があった。また、単に蓋１１２を閉める構造では、蓋１１２と容器１１１との間に存する空気を容器内に閉じ込めやすい。このため、当該空気によって嫌気的環境の構築が妨げられることがあった。このように、従来の貯留槽では、嫌気的環境の構築が困難であった。
【０００６】
本発明では、嫌気的環境の構築がより容易な貯留槽及び溶存酸素量測定システムを提供することを目的とする。
【課題を解決するための手段】
【０００７】
上述した課題を解決し、目的を達成するために、本発明の貯留槽は、時間の経過に応じた溶存酸素量の変化が測定される液体を貯留する貯留槽であって、内部に液体及び液体の沈殿物を貯留可能に設けられた容器と、前記容器内に液体を流入可能に設けられた流入口と、前記容器内の空気を流出可能に設けられた空気抜き口と、前記容器内の液体を外部に採取可能に設けられた採取口とを備え、前記流入口、前記空気抜き口及び前記採取口は開閉可能に設けられ、前記流入口、前記空気抜き口及び前記採取口が閉じている場合、前記容器は密閉される。
【０００８】
本発明の望ましい態様として、貯留槽は、前記容器内の液体を撹拌する撹拌部を備える。
【０００９】
本発明の望ましい態様として、前記流入口、前記空気抜き口、前記採取口及び前記撹拌部は、前記容器の上部に着脱可能に設けられて前記容器の上部を覆う蓋部に設けられる。
【００１０】
また、上述した課題を解決し、目的を達成するために、本発明の溶存酸素量測定システムは、請求項１から３のいずれか一項に記載の貯留槽と、前記流入口から前記容器内に流入される液体を備蓄する備蓄部と、前記採取口を介して前記容器内の液体を採取する採取部と、前記採取部により採取された液体の溶存酸素量を測定する測定部とを備える。
【００１１】
本発明の望ましい態様として、溶存酸素量測定システムは、前記貯留槽を内部に設置可能に設けられた水槽を備える。
【００１２】
本発明の望ましい態様として、溶存酸素量測定システムは、前記水槽の上部を開閉可能な屋根を備える。
【発明の効果】
【００１３】
本発明によれば、嫌気的環境の構築がより容易になる。
【図面の簡単な説明】
【００１４】
【図１】図１は、本発明の実施形態に係る溶存酸素量測定システムの主要構成を示すブロック図である。
【図２】図２は、貯留槽及び貯留槽の周囲に存する構成を示す概略図である。
【図３】図３は、貯留槽の具体的形態の一例を示す斜視図である。
【図４】図４は、測定部による測定結果の一例を示すグラフである。
【図５】図５は、貯留槽の具体的形態の別の一例を示す斜視図である。
【図６】図６は、嫌気的環境を構築する従来の貯留槽を示す図である。
【発明を実施するための形態】
【００１５】
次に、本発明の実施形態を、図面を参照して詳細に説明する。図１は、本発明の実施形態に係る溶存酸素量測定システムの主要構成を示すブロック図である。溶存酸素量測定システム１は、貯留槽１０、貯留液補給部２０、採取部３０、測定部４０、水槽５０、屋根６０等を備える。溶存酸素量測定システム１は、貯留槽１０に液体Ｗ１を貯留し、時間の経過に応じて変じうる液体Ｗ１の溶存酸素量を測定するシステムである。
【００１６】
より具体的には、溶存酸素量測定システム１は、底泥Ｍ等の沈殿物Ｓが沈殿している状態の液体Ｗ１の溶存酸素量の変化を測定するシステムである。また、溶存酸素量測定システム１は、係る底泥Ｍの上にＨｉビーズ（登録商標）等の石灰炭Ｂが敷設された場合における溶存酸素量の変化を測定することにも用いることができる。底泥Ｍは、例えば特定の湾に存する海底の泥である。液体Ｗ１は、例えば当該湾に存する海水である。係る底泥Ｍ等の沈殿物Ｓ及び液体Ｗ１はあくまで一例であってこれに限られるものでなく、溶存酸素量測定システム１は、任意の沈殿物及び液体を取り扱うことができる。
【００１７】
図２は、貯留槽及び貯留槽の周囲に存する構成を示す概略図である。図３は、貯留槽の具体的形態の一例を示す斜視図である。貯留槽１０は、容器１１、蓋部１２、流入口１３、空気抜き口１５、採取口１４、攪拌部１６等を供える。容器１１は、内部に液体Ｗ１及び沈殿物Ｓを貯留可能に設けられる。具体的には、容器１１は、例えば底が塞がれた円筒状の容器である。また、容器１１は、例えば透光性を有する樹脂製である。容器１１は、例えば直径１００［ｃｍ］程度、高さ９０［ｃｍ］程度である。これら例示した容器１１の具体的形態は、適宜変更可能である。
【００１８】
図３等に示すように、容器１１は、容器１１内に敷設される沈殿物Ｓの量の目安となる目盛Ｇ１，Ｇ２を有していてもよい。例えば、目盛Ｇ１は、容器１１の底に敷設される底泥Ｍの量の目安を示す。目盛Ｇ１より上側に存する目盛Ｇ２は、底泥Ｍの上に敷設される石灰炭Ｂの量の目安を示す。
【００１９】
蓋部１２は、容器１１の上部に着脱可能に設けられる。具体的には、蓋部１２は、例えば円筒状の容器１１の上部を覆う円盤状の部材である。蓋部１２は、着脱可能に設けられることで容器１１を開閉可能な構造にする。具体的には、例えば、貯留部には、容器１１に蓋部１２を固定するロック機構Ｒが設けられる。より具体的には、ロック機構Ｒは、例えば、蓋部１２に固定されたベルト状の部材に設けられた固定具Ｒ１と容器１１の側面部に設けられた被固定部Ｒ２とを有する。蓋部１２は、固定具Ｒ１が被固定部Ｒ２に噛合されることで容器１１に固定される。
【００２０】
また、蓋部１２及び容器１１の少なくとも一方には、蓋部１２と容器１１との隙間を密閉するパッキン等のシール部材を有する。蓋部１２と容器１１とは、シール部材を介して当接する。採取口１４は、容器１１内の液体Ｗ１を外部に採取可能に設けられる。本実施形態における流入口１３、空気抜き口１５、採取口１４及び攪拌部１６は、蓋部１２に設けられる。
【００２１】
流入口１３は、容器１１内に液体Ｗ２を流入可能に設けられる。空気抜き口１５は、容器１１内の空気を流出可能に設けられる。具体的には、流入口１３、空気抜き口１５及び採取口１４は、例えば蓋部１２に設けられた３つの孔である。蓋部１２が容器１１に取り付けられている場合、当該３つの孔を介してのみ容器１１内へのアクセスが可能になる。当該３つの孔は、それぞれ流入口１３、空気抜き口１５及び採取口１４として用いられる。
【００２２】
流入口１３として用いられる孔には、貯留液補給部２０が連結される。貯留液補給部２０は、蓋部１２が取り付けられた容器１１内に対して流入口１３を介して液体Ｗ２を補給する。具体的には、貯留液補給部２０は、例えば、容器１１内に貯留される液体Ｗ１と同一の取得源から得られた液体Ｗ２を備蓄する容器１１状の備蓄部２１、備蓄部２１に設けられた液体Ｗ２の流出口２１ａと流入口１３とを連結する管状の連結部２２等を有する。流出口２１ａは、例えば備蓄部２１に備蓄された液体Ｗ２の液面よりも下方に設けられる。また、備蓄部２１は、容器１１の蓋部１２の位置よりも上方に位置するよう設けられる。これによって、容器１１が開放状態である場合、ポンプ等の動力を要することなく備蓄部２１に備蓄された液体Ｗ２を容器１１内に導入することができる。図１及び図２ならびにこれらの図を参照した説明では、容器１１内に既に存する液体と貯留液補給部２０の備蓄部２１に備蓄された液体とを区別する目的で、容器１１内に既に存する液体を液体Ｗ１と記載し、備蓄部２１に備蓄された液体を液体Ｗ２と記載している。
【００２３】
なお、備蓄部２１は密閉されていないが、容器１１が例えば直径１００［ｃｍ］程度、高さ９０［ｃｍ］程度であるのに対し、備蓄部２１は例えば直径２０［ｃｍ］程度、高さ４０［ｃｍ］程度である。よって、容器１１と備蓄部２１との容積比は５０：１程度であり、扱われる液体の容量が大幅に異なる。このため、密閉されていない環境下の液体Ｗ２が容器１１内に流入したとしても容器１１内の溶存酸素量の測定に与える影響は極めて小さく、実質的に問題にならない。
【００２４】
流入口１３として用いられる孔には、容器１１内側に延出された延出部１３ａを有していてもよい。係る延出部１３ａの先端は、液体Ｗ１がほぼ満たされた状態の容器１１内における液面よりも下方に位置することになる。これによって、貯留液補給部２０からの液体Ｗ２が容器１１内の液面を打つことなく穏やかに流入する。
【００２５】
採取口１４として用いられる孔には、採取部３０が連結される。採取部３０は、蓋部１２が取り付けられた容器１１内に対して採取口１４を介して容器１１内の液体Ｗ１を採取する。具体的には、採取部３０は、例えば、容器１１内から外に液体を引き出す負圧部３１を有する。また、採取口１４には、容器１１内に入り込むよう設けられた管１４ａが取り付けられている。管１４ａは、例えば容器１１内側の先端部の位置が、容器１１内に存する沈殿物Ｓに接触しない位置であって沈殿物Ｓ付近に存する液体Ｗ１を管１４ａ内に導入可能な位置となるよう設けられる。負圧部３１は、管１４ａを介して、管１４ａの先端部が存する位置付近の液体Ｗ１を採取する。採取部３０の負圧部３１は、例えばポンプであるが、スポイト等であってもよい。
【００２６】
空気抜き口１５、流入口１３及び採取口１４は開閉可能に設けられる。例えば、空気抜き口１５として用いられる孔には開閉機構としてバルブ１５ａが設けられており、バルブ１５ａの操作によって空気抜き口１５を開閉可能となっている。図示しないが、流入口１３と貯留液補給部２０との連結経路及び採取口１４と採取部３０との連結経路にも空気抜き口１５と同様の開閉機構が設けられている。開閉機構は、例えば空気抜きから容器１１外に延出するよう設けられたゴム等の弾性体を素材とする管を開閉するピンチコック等、他の構成であってもよい。
【００２７】
流入口１３、空気抜き口１５及び採取口１４が閉じている場合、容器１１は密閉される。具体的には、流入口１３、空気抜き口１５及び採取口１４が閉じている状態の蓋部１２は、シール部材を介して容器１１と当接することで容器１１に取り付けられた場合に容器１１を密閉する。密閉された容器１１は、容器１１内の液体Ｗ１が容器１１外に存する空気等に暴露することを抑制する。すなわち、密閉された容器１１は、容器１１内の液体Ｗ１に容器１１外に存する空気に含まれる酸素が溶け込むことを抑制する。これによって、密閉後の容器１１内の環境は、嫌気的環境に移行することになる。
【００２８】
採取口１４を介して密閉された容器１１内から液体Ｗ１を採取する場合、容器１１内に負の圧力が生じる。この場合、流入口１３と貯留液補給部２０との連結経路を開いておくことで、採取部３０による液体Ｗ１の採取に連動して貯留液補給部２０から容器１１内に液体Ｗ２が補給される。
【００２９】
また、密閉された容器１１内に空気等の気体が存する場合、空気抜き口１５から当該気体を容器１１外に排出することができる。具体的には、空気抜き口１５を開放した状態で流入口１３と貯留液補給部２０との連結経路を開くことで、貯留液補給部２０から容器１１内に液体Ｗ２を補給するとともに当該気体を空気抜き口１５から排出することができる。
【００３０】
なお、貯留液補給部２０及び採取部３０は、常に貯留槽１０に連結されていなくてもよく、各々の構成を利用する時のみ貯留槽１０と連結されるようにしてもよい。この場合、連結される構成が非連結状態にあるときの流入口１３、採取口１４は、開閉機構によって閉じられる。
【００３１】
攪拌部１６は、容器１１内の液体Ｗ１を撹拌する。具体的には、攪拌部１６は、例えば蓋部１２に回転可能に軸支されると共に電動機等の動力を伝達されて回転するスクリュープロペラを有する。攪拌部１６は、密閉された貯留槽１０内でスクリュープロペラを液体Ｗ１に接触させた状態で回転することで、貯留槽１０内の液体Ｗ１を攪拌する。攪拌部１６の動作タイミングは、任意である。攪拌部１６は、例えば液体Ｗ１及び底泥Ｍの取得源における液体の流れの度合いを再現する目的で、動作頻度及びスクリュープロペラの回転速度が決定されるが、これはあくまで攪拌部１６の動作制御例であってこれに限られるものでなく、適宜変更可能である。
【００３２】
測定部４０は、採取部３０により採取された液体Ｗ１の溶存酸素量（ＤＯ：Dissolved  Oxygen）を測定する。具体的には、測定部４０は、例えば隔膜電極法の原理で溶存酸素量を測定する測定器を有する。測定部４０は、例えば定期的に負圧部３１としてのポンプにより自動的に採取される液体Ｗ１の溶存酸素量を自動的に測定する動作制御部を含む構成であってもよいし、負圧部３１としてのスポイトにより手動で採取される液体Ｗ１の溶存酸素量を測定する構成であってもよい。測定部４０は、隔膜電極法に限らず、ウインクラー法等、他の方法によって溶存酸素量を測定する構成であってもよい。
【００３３】
水槽５０は、貯留槽１０を内部に設置可能に設けられる。具体的には、水槽５０は、例えばコンクリート等を用いた建造物として設けられる。係る水槽５０は、上部が開放された箱状であり、内部に貯留槽１０を載置した状態で、貯留槽１０の周囲に水Ｗ３を溜めることができる。水槽５０内の水Ｗ３は、保温用の媒体として機能し、貯留槽１０の周囲の温度変化を抑制する。よって、例えば海底のように比較的温度変化が生じにくい環境と同様の温度条件をより再現しやすくなる。
【００３４】
屋根６０は、水槽５０の上部を開閉可能とする。具体的には、屋根６０は、例えば水槽５０の上部を覆う板状の部材である。屋根６０は、箱状の水槽５０の上部に載置される。屋根６０は、直射日光、降雨等、水槽５０内の著しい温度変化の原因となりうる環境要因が水槽５０の上方から水槽５０内に直接作用することを抑制する。また、屋根６０は、水槽５０内に溜められた水Ｗ３の上方に存する空気の入れ替わりを抑制することで、水槽５０内の温度変化を抑制する。このように、屋根６０は、水槽５０内に存する貯留槽１０の周囲の温度変化を抑制する。
【００３５】
水槽５０と屋根６０との間には、隙間が設けられていてもよい。係る隙間があることで、例えば貯留槽１０と採取部３０とを連結する連結経路を水槽５０と屋根６０との間に通すことができることから、当該連結経路を用いた貯留槽１０と採取部３０との連結を維持しやすくなる。
【００３６】
溶存酸素量測定システム１によるモニタリング、すなわち、沈殿物Ｓと共に貯留槽１０に貯留された液体Ｗ１の溶存酸素量の時系列に沿った変化に係る測定を行う場合、まず、貯留槽１０に沈殿物Ｓ及び液体Ｗ１を入れて密閉する作業が行われる。具体的には、例えば蓋部１２が取り外されて上部が開放されている容器１１に対して、目盛Ｇ１を目安として底泥Ｍが容器１１に入れられる。また、沈殿物Ｓとして石灰炭Ｂを敷設する場合、例えば容器１１の目盛Ｇ２を目安として底泥Ｍの上に石灰炭Ｂが敷設される。その後、容器１１に液体Ｗ１が入れられる。
【００３７】
容器１１に液体Ｗ１が入れられた後、蓋部１２が容器１１に取り付けられることで容器１１は密閉される。ここで、容器１１内に空気等の気体が入り込んでしまっている場合がある。例えば、蓋部１２を取り付ける際に気体が蓋部１２と容器１１との間に入り込むことを除外できなかったりする。また、液体Ｗ１に先立って入れられた沈殿物Ｓが空気を含んでしまっていることがある。そこで、係る気体が入り込んでいる場合、空気抜き口１５を開けた状態で流入口１３から貯留液補給部２０の備蓄部２１の液体Ｗ２を流入させることで、気体を排出させることができる。
【００３８】
容器１１内を液体Ｗ１で満たした後、予め定められた溶存酸素量の測定タイミングに応じて採取部３０による液体Ｗ１の採取が行われる。この時、採取部３０による容器１１内の液体Ｗ１の採取とともに貯留液補給部２０を用いた容器１１内への液体Ｗ２の流入が行われる。採取される液体Ｗ１の量は少量（例えば、３０［ｍｌ］程度）で十分であるため、係る少量の液体Ｗ１が容器１１内に流入したとしても容器１１内の溶存酸素量の測定に与える影響は極めて小さく、実質的に問題にならない。
【００３９】
図４は、測定部４０による測定結果の一例を示すグラフである。図４に示す線Ｌ１は、本実施形態による貯留槽１０の構成により密閉された環境から採取された液体Ｗ１の溶存酸素量を示す。図４に示す線Ｌ２は、開放された環境から採取された液体の溶存酸素量を示す。線Ｌ１，Ｌ２の記録に係り採取された液体が置かれた環境は、容器１１が密閉されているか否かを除いて同一である。図４の線Ｌ１が示すように、本実施形態による貯留槽１０の構成により密閉された環境下では、容器１１外の空気に対する液体Ｗ１の曝露が抑制されることで底泥Ｍに含まれる微生物等による酸素の消費による溶存酸素量の減少が比較的早期に顕著に測定結果に現れる。一方、図４の線Ｌ２が示すように、開放された環境では空気に対する液体の曝露が避けられないことから、底泥Ｍに含まれる微生物等による酸素の消費による溶存酸素量の減少を正確に測定することが困難になっている。このように、本実施形態によれば、貯留槽１０により構築された嫌気的環境における溶存酸素量の減少をより正確に測定することができる。
【００４０】
溶存酸素量測定システム１は、複数の貯留槽１０を有していてもよい。この場合、同一の沈殿物Ｓ及び液体Ｗ１が入れられた貯留槽１０を複数設け、複数の貯留槽１０から採取された液体Ｗ１の溶存酸素量に係る測定結果を平均化するようにしてもよいし、沈殿物Ｓ及び液体Ｗ１の少なくとも一方についてそれぞれ条件が異なる貯留槽１０を設け、個別に液体Ｗ１の溶存酸素量に係る測定を行ってもよい。例えば、沈殿物Ｓ及び液体Ｗ１を同一の環境から取得したものとし、石灰炭Ｂの有無だけを異ならせた貯留槽１０について個別に液体Ｗ１の溶存酸素量に係る測定を行うことで、石灰炭Ｂが溶存酸素量の変化の度合いに与える影響を把握することができる。
【００４１】
以上、本実施形態によれば、液体Ｗ１及び沈殿物Ｓが貯留された容器１１において、空気抜き口１５からの空気抜き及び流入口１３からの液体Ｗ２の流入によって、容器１１内から気体を排出させるとともに容器１１内を液体Ｗ１で満たすことができる。また、採取口１４からの液体Ｗ１の採取及び流入口１３からの液体Ｗ２の流入によって、容器１１内の液体Ｗ１を容器１１外の気体に曝露させることなく溶存酸素量の測定に用いられる液体Ｗ１の採取を行うことができる。また、流入口１３、空気抜き口１５及び採取口１４が閉じている場合、容器１１は密閉されることから、容器１１内の液体Ｗ１が容器１１外の気体に曝露することを抑制することができる。これらのことから、本実施形態によれば、嫌気的環境の構築がより容易になる。
【００４２】
また、容器１１内の液体Ｗ１を撹拌する攪拌部１６を備えるので、容器１１内の液体Ｗ１に運動（流れ）を与えることができる。
【００４３】
また、流入口１３、空気抜き口１５、採取口１４及び攪拌部１６は、容器１１の上部に着脱可能に設けられて容器１１の上部を覆う蓋部１２に設けられるので、容器１１の構成をより簡素化することができる。また、容器１１の外からの容器１１内の環境へのアクセスに用いられる流入口１３、空気抜き口１５及び採取口１４が容器１１の上方に集中していることから、容器１１内の環境へのアクセスがより容易になる。
【００４４】
また、採取部３０により採取された液体Ｗ１の溶存酸素量を測定部４０により測定することで、貯留槽１０に貯留された液体Ｗ１の溶存酸素量を把握することができる。
【００４５】
また、貯留槽１０を内部に設置可能に設けられた水槽５０を備えることで、水槽５０内で貯留槽１０の周囲に溜められた水Ｗ３を用いて貯留槽１０の周囲の温度変化を抑制することができる。
【００４６】
また、水槽５０の上部を開閉可能な屋根６０を備えることで、貯留槽１０の周囲の温度変化を抑制することができる。
【００４７】
なお、上記の実施形態はあくまで一例であり、本発明の技術的特徴を逸脱しない範囲内において適宜変更可能である。
【００４８】
図５は、貯留槽の具体的形態の別の一例を示す斜視図である。図５に示すように、貯留槽１０Ａは、貯留液補給部２０がより容易に着脱可能に設けられたピン状の流入口１３ｂ、採取部３０がより容易に着脱可能に設けられたピン状の採取口１４ｂが設けられた蓋部１２Ａを有していてもよい。この場合でも、蓋部１２Ａの下側で容器１１内の液体Ｗ１と接する部分は、図３に示す蓋部１２と同様、水平な円盤状であることが望ましい。係る水平な円盤状であることによって、蓋部と容器１１内の液体Ｗ１との間における空気等の気体の残留を抑制することができる。
【符号の説明】
【００４９】
１      溶存酸素量測定システム
１０，１０Ａ    貯留槽
１１    容器
１２，１２Ａ    蓋部
１３，１３ｂ    流入口
１３ａ  延出部
１４，１４ｂ    採取口
１４ａ  管
１５    空気抜き口
１５ａ  バルブ
１６    攪拌部
２０    貯留液補給部
２１    備蓄部
２１ａ  流出口
２２    連結部
３０    採取部
３１    負圧部
４０    測定部
５０    水槽
６０    屋根
Ｂ      石灰炭
Ｇ１，Ｇ２    目盛
Ｍ      底泥
Ｒ      ロック機構
Ｒ１    固定具
Ｒ２    被固定部
Ｓ      沈殿物
Ｗ１，Ｗ２  液体
Ｗ３    水
【図１】
0006617553.tif 000002
【図２】
0006617553.tif 000003
【図３】
0006617553.tif 000004
【図４】
0006617553.tif 000005
【図５】
0006617553.tif 000006
【図６】
0006617553.tif 000007